(57)【特許請求の範囲】
【請求項１】
中央架橋部を挟んで一対の窓部を有し耐熱性弾性突起群が表面にブラシ状に分散配置された載置マット板、前記載置マット板の一対の窓部と対応するように中央架橋部を挟んで一対の窓部を有し耐熱性弾性突起群が裏面にブラシ状に分散配置された押圧マット板、ならびに前記載置マット板の耐熱性弾性突起群と前記押圧マット板の耐熱性弾性突起群との間に洗浄対象物を挟持したものを収納し前記載置マット板の一対の窓部および前記押圧マット板の一対の窓部に対応する一対の窓部を有するトレイケースからなる洗浄トレイと、
前記洗浄トレイを該洗浄トレイの中心支軸を中心に回転駆動する回転駆動手段と、
前記洗浄トレイが前記回転駆動手段により回転された水平位置で前記洗浄トレイの一対の窓部にそれぞれ対応するように離間して配置された一対のノズル移動レール、前記一対のノズル移動レールにそれぞれ移動可能に取り付けられた一対のスチーム噴射ノズル、前記一対のスチーム噴射ノズルにスチームを供給するスチーム供給部、および前記一対のスチーム噴射ノズルを前記一対のノズル移動レールに沿って移動するように駆動するスチーム噴射ノズル駆動部を含み、前記一対のスチーム噴射ノズルを前記ノズル移動レールに沿って移動しながら前記一対のスチーム噴射ノズルからスチームを噴射して前記載置マット板の耐熱性弾性突起群と前記押圧マット板の耐熱性弾性突起群との間に挟持された洗浄対象物を洗浄するスチーム噴射手段と、
前記載置マット板の耐熱性弾性突起群と前記押圧マット板の耐熱性弾性突起群との間に挟持された洗浄対象物に空気を吹き付けて乾燥するエアーブロー手段と
を備えることを特徴とするスチーム器具洗浄装置。
【請求項２】
中央架橋部を挟んで一対の窓部を有し耐熱性弾性突起群が表面にブラシ状に分散配置された載置マット板、前記載置マット板の中央架橋部と対応するように形成され耐熱性弾性突起群が裏面にブラシ状に分散配置された押圧マット板、ならびに前記載置マット板の耐熱性弾性突起群と前記押圧マット板の耐熱性弾性突起群との間に洗浄対象物を挟持したものを収納し前記載置マット板の一対の窓部および前記押圧マット板の一対の窓部に対応する一対の窓部を有するトレイケースからなる洗浄トレイと、
前記洗浄トレイを該洗浄トレイの中心支軸を中心に回転駆動する回転駆動手段と、
前記洗浄トレイが前記回転駆動手段により回転された水平位置で前記洗浄トレイの一対の窓部にそれぞれ対応するように離間して配置された一対のノズル移動レール、前記一対のノズル移動レールにそれぞれ移動可能に取り付けられた一対のスチーム噴射ノズル、前記一対のスチーム噴射ノズルにスチームを供給するスチーム供給部、および前記一対のスチーム噴射ノズルを前記一対のノズル移動レールに沿って移動するように駆動するスチーム噴射ノズル駆動部を含み、前記一対のスチーム噴射ノズルを前記ノズル移動レールに沿って移動しながら前記一対のスチーム噴射ノズルからスチームを噴射して前記載置マット板の耐熱性弾性突起群と前記押圧マット板の耐熱性弾性突起群との間に挟持された洗浄対象物を洗浄するスチーム噴射手段と、
前記載置マット板の耐熱性弾性突起群と前記押圧マット板の耐熱性弾性突起群との間に挟持された洗浄対象物に空気を吹き付けて乾燥するエアーブロー手段と
を備えることを特徴とするスチーム器具洗浄装置。
【請求項３】
前記回転駆動手段により前記洗浄トレイを連続回転させながら前記スチーム噴射手段および／または前記エアーブロー手段によるスチーム洗浄および／またはエアーブロー乾燥を実行する連続回転パターンと、前記回転駆動手段により前記洗浄トレイを間欠回転させながら前記スチーム噴射手段および／または前記エアーブロー手段によるスチーム洗浄および／またはエアーブロー乾燥を実行する間欠回転パターンとのいずれかを選択する洗浄パターン選択手段を備えることを特徴とする請求項１または２記載のスチーム器具洗浄装置。
【請求項４】
前記スチーム噴射手段を単独で動作させる洗浄方法、前記エアーブロー手段を単独で動作させる洗浄方法、または前記スチーム噴射手段および前記エアーブロー手段をともに動作させる洗浄方法のいずれかを選択する洗浄方法選択手段を備えることを特徴とする請求項３記載のスチーム器具洗浄装置。
【請求項５】
前記洗浄パターン選択手段により選択された洗浄パターンおよび前記洗浄方法選択手段により選択された洗浄方法で洗浄する洗浄回数を選択する洗浄回数選択手段を備えることを特徴とする請求項４記載のスチーム器具洗浄装置。
【発明の詳細な説明】
【技術分野】
【０００１】
本発明は、スチーム器具洗浄装置に関し、特に、非常に繊細でかつ高価な洗浄対象物（例えば、眼科用器具）を洗浄・乾燥するのに好適なスチーム器具洗浄装置に関する。
【背景技術】
【０００２】
医療現場では、手術や治療等を行う際に、メス、鉗子、ピンセット、ハサミ等の医療器具が多量に使用されている。例えば、医療現場の一つである眼科においては、白内障の手術や治療等を行う際に、眼科用のメス、鉗子、ピンセット、ハサミ等の眼科用器具が使用されている。それらは、使用後に洗浄・滅菌されて再使用されるのが一般的である。
【０００３】
ところで、近年、一般的な医療器具の洗浄においては、超音波によるキャビテーションを利用した超音波洗浄装置が用いられている（例えば、特許文献１等参照）。しかし、眼科用器具は、通常の医療器具よりも非常に繊細でかつ高価なものであり、特に先端部等の繊細な部分は、僅かな衝撃が加わっただけでも、変形や破損を生じるおそれがある。従って、眼科用器具は、超音波洗浄による衝撃を避けるために、超音波を使用しない洗浄装置で洗浄されるか（例えば、特許文献２等参照）、或いは、未だ手洗いによる洗浄作業によって洗浄されることが主流であった。
【先行技術文献】
【特許文献】
【０００４】
【特許文献１】実用新案登録第３１５２２７５号公報
【特許文献２】特開２０１１−０００５１０号公報
【発明の概要】
【発明が解決しようとする課題】
【０００５】
しかしながら、従来の洗浄装置では、洗浄後の眼科用器具を洗浄装置から個別に人手で取り出してオートクレーブ等の加熱滅菌装置にセットしていたので、眼科用器具をスチーム器具洗浄装置からオートクレーブ等の加熱滅菌装置に移す際に人手に触れて眼科用器具を汚したり、眼科用器具を移す作業に時間がかかるとともに面倒であるという問題点があった。
【０００６】
また、従来の手洗いによる洗浄作業は、非常にわずらわしいだけではなく、人為的なミスによって、非常に繊細でかつ高価な眼科用器具を変形または破損させるおそれがあるという問題点があった。詳しくは、手洗いによる洗浄作業の場合には、眼科用器具を指で擦り洗いをするときに指で持ちながら洗うので、そのときに眼科用器具を誤って落下させてしまうと、肉眼ではなんともない状態であるにもかかわらず、眼科用器具の先端部等の繊細な部分が変形や破損をしてしまっていた。そして、一旦変形や破損を生じると、手術や治療等においてその眼科用器具の使用は患者の眼を傷つけるおそれがあるので、再使用が困難となる。眼科用器具の１本１本の単価が高価なため、変形や破損を生じるごとに新しいものを購入していては、非常に経費が嵩むことになる。
【０００７】
本発明は、上記従来の問題点を解決するためになされたもので、非常に繊細でかつ高価な洗浄対象物（例えば、眼科用器具）を洗浄・乾燥するのに好適なスチーム器具洗浄装置の提供を目的とする。
【課題を解決するための手段】
【０００８】
この目的を達成するために、請求項１記載のスチーム器具洗浄装置は、中央架橋部を挟んで一対の窓部を有し耐熱性弾性突起群が表面にブラシ状に分散配置された載置マット板、前記載置マット板の一対の窓部と対応するように中央架橋部を挟んで一対の窓部を有し耐熱性弾性突起群が裏面にブラシ状に分散配置された押圧マット板、ならびに前記載置マット板の耐熱性弾性突起群と前記押圧マット板の耐熱性弾性突起群との間に洗浄対象物を挟持したものを収納し前記載置マット板の一対の窓部および前記押圧マット板の一対の窓部に対応する一対の窓部を有するトレイケースからなる洗浄トレイと、前記洗浄トレイを該洗浄トレイの中心支軸を中心に回転駆動する回転駆動手段と、前記洗浄トレイが前記回転駆動手段により回転された水平位置で前記洗浄トレイの一対の窓部にそれぞれ対応するように離間して配置された一対のノズル移動レール、前記一対のノズル移動レールにそれぞれ移動可能に取り付けられた一対のスチーム噴射ノズル、前記一対のスチーム噴射ノズルにスチームを供給するスチーム供給部、および前記一対のスチーム噴射ノズルを前記一対のノズル移動レールに沿って移動するように駆動するスチーム噴射ノズル駆動部を含み、前記一対のスチーム噴射ノズルを前記ノズル移動レールに沿って移動しながら前記一対のスチーム噴射ノズルからスチームを噴射して前記載置マット板の耐熱性弾性突起群と前記押圧マット板の耐熱性弾性突起群との間に挟持された洗浄対象物を洗浄するスチーム噴射手段と、前記載置マット板の耐熱性弾性突起群と前記押圧マット板の耐熱性弾性突起群との間に挟持された洗浄対象物に空気を吹き付けて乾燥するエアーブロー手段とを備えることを特徴とする。
【０００９】
請求項２記載のスチーム器具洗浄装置は、中央架橋部を挟んで一対の窓部を有し耐熱性弾性突起群が表面にブラシ状に分散配置された載置マット板、前記載置マット板の中央架橋部と対応するように形成され耐熱性弾性突起群が裏面にブラシ状に分散配置された押圧マット板、ならびに前記載置マット板の耐熱性弾性突起群と前記押圧マット板の耐熱性弾性突起群との間に洗浄対象物を挟持したものを収納し前記載置マット板の一対の窓部および前記押圧マット板の一対の窓部に対応する一対の窓部を有するトレイケースからなる洗浄トレイと、前記洗浄トレイを該洗浄トレイの中心支軸を中心に回転駆動する回転駆動手段と、前記洗浄トレイが前記回転駆動手段により回転された水平位置で前記洗浄トレイの一対の窓部にそれぞれ対応するように離間して配置された一対のノズル移動レール、前記一対のノズル移動レールにそれぞれ移動可能に取り付けられた一対のスチーム噴射ノズル、前記一対のスチーム噴射ノズルにスチームを供給するスチーム供給部、および前記一対のスチーム噴射ノズルを前記一対のノズル移動レールに沿って移動するように駆動するスチーム噴射ノズル駆動部を含み、前記一対のスチーム噴射ノズルを前記ノズル移動レールに沿って移動しながら前記一対のスチーム噴射ノズルからスチームを噴射して前記載置マット板の耐熱性弾性突起群と前記押圧マット板の耐熱性弾性突起群との間に挟持された洗浄対象物を洗浄するスチーム噴射手段と、前記載置マット板の耐熱性弾性突起群と前記押圧マット板の耐熱性弾性突起群との間に挟持された洗浄対象物に空気を吹き付けて乾燥するエアーブロー手段とを備えることを特徴とする。
【００１１】
請求項３記載のスチーム器具洗浄装置は、請求項１または２記載のスチーム器具洗浄装置において、前記回転駆動手段により前記洗浄トレイを連続回転させながら前記スチーム噴射手段および／または前記エアーブロー手段によるスチーム洗浄および／またはエアーブロー乾燥を実行する連続回転パターンと、前記回転駆動手段により前記洗浄トレイを間欠回転させながら前記スチーム噴射手段および／または前記エアーブロー手段によるスチーム洗浄および／またはエアーブロー乾燥を実行する間欠回転パターンとのいずれかを選択する洗浄パターン選択手段を備えることを特徴とする。
【００１２】
請求項４記載のスチーム器具洗浄装置は、請求項３記載のスチーム器具洗浄装置において、前記スチーム噴射手段を単独で動作させる洗浄方法、前記エアーブロー手段を単独で動作させる洗浄方法、または前記スチーム噴射手段および前記エアーブロー手段をともに動作させる洗浄方法のいずれかを選択する洗浄方法選択手段を備えることを特徴とする。
【００１３】
請求項５記載のスチーム器具洗浄装置は、請求項４記載のスチーム器具洗浄装置において、前記洗浄パターン選択手段により選択された洗浄パターンおよび前記洗浄方法選択手段により選択された洗浄方法で洗浄する洗浄回数を選択する洗浄回数選択手段を備えることを特徴とする。
【発明の効果】
【００１４】
請求項１記載のスチーム器具洗浄装置によれば、中央架橋部を挟んで一対の窓部を有し耐熱性弾性突起群が表面にブラシ状に分散配置された載置マット板、載置マット板の一対の窓部と対応するように中央架橋部を挟んで一対の窓部を有し耐熱性弾性突起群が裏面にブラシ状に分散配置された押圧マット板、ならびに載置マット板の耐熱性弾性突起群と押圧マット板の耐熱性弾性突起群との間に洗浄対象物を挟持したものを収納し載置マット板の一対の窓部および押圧マット板の一対の窓部に対応する一対の窓部を有するトレイケースからなる洗浄トレイと、洗浄トレイを該洗浄トレイの中心支軸を中心に回転駆動する回転駆動手段と、洗浄トレイが回転駆動手段により回転された水平位置で洗浄トレイの一対の窓部にそれぞれ対応するように離間して配置された一対のノズル移動レール、一対のノズル移動レールにそれぞれ移動可能に取り付けられた一対のスチーム噴射ノズル、一対のスチーム噴射ノズルにスチームを供給するスチーム供給部、および一対のスチーム噴射ノズルを一対のノズル移動レールに沿って移動するように駆動するスチーム噴射ノズル駆動部を含み、載置マット板の耐熱性弾性突起群と押圧マット板の耐熱性弾性突起群との間に挟持された洗浄対象物に一対のスチーム噴射ノズルをノズル移動レールに沿って移動しながら一対のスチーム噴射ノズルからスチームを噴射して洗浄するスチーム噴射手段と、載置マット板の耐熱性弾性突起群と押圧マット板の耐熱性弾性突起群との間に挟持された洗浄対象物に空気を吹き付けて乾燥するエアーブロー手段とを備えるので、載置マット板の耐熱性弾性突起群に洗浄対象物を載置し、押圧マット板の耐熱性弾性突起群により洗浄対象物を挟持したものを収納するトレイケースに、スチーム噴射手段によりスチームを噴射したり、エアーブロー手段により空気を吹き付けたりすることにより、洗浄対象物を洗浄または乾燥することができるとともに、先端部等の繊細な部分が載置マット板の一対の窓部に対応するように洗浄対象物を載置マット板の中央架橋部に載置することにより、洗浄対象物の先端部等の繊細な部分を重点的にスチーム洗浄および／またはエアーブロー乾燥することができるという効果がある。
【００１６】
請求項２記載のスチーム器具洗浄装置によれば、中央架橋部を挟んで一対の窓部を有し耐熱性弾性突起群が表面にブラシ状に分散配置された載置マット板、載置マット板の中央架橋部と対応するように形成され耐熱性弾性突起群が裏面にブラシ状に分散配置された押圧マット板、ならびに載置マット板の耐熱性弾性突起群と押圧マット板の耐熱性弾性突起群との間に洗浄対象物を挟持したものを収納し載置マット板の一対の窓部および押圧マット板の一対の窓部に対応する一対の窓部を有するトレイケースからなる洗浄トレイと、洗浄トレイを該洗浄トレイの中心支軸を中心に回転駆動する回転駆動手段と、洗浄トレイが回転駆動手段により回転された水平位置で洗浄トレイの一対の窓部にそれぞれ対応するように離間して配置された一対のノズル移動レール、一対のノズル移動レールにそれぞれ移動可能に取り付けられた一対のスチーム噴射ノズル、一対のスチーム噴射ノズルにスチームを供給するスチーム供給部、および一対のスチーム噴射ノズルを一対のノズル移動レールに沿って移動するように駆動するスチーム噴射ノズル駆動部を含み、一対のスチーム噴射ノズルをノズル移動レールに沿って移動しながら一対のスチーム噴射ノズルからスチームを噴射して載置マット板の耐熱性弾性突起群と押圧マット板の耐熱性弾性突起群との間に挟持された洗浄対象物を洗浄するスチーム噴射手段と、載置マット板の耐熱性弾性突起群と押圧マット板の耐熱性弾性突起群との間に挟持された洗浄対象物に空気を吹き付けて乾燥するエアーブロー手段とを備えるので、載置マット板の耐熱性弾性突起群に洗浄対象物を載置し、押圧マット板の耐熱性弾性突起群により洗浄対象物を挟持したものを収納するトレイケースに、スチーム噴射手段によりスチームを噴射したり、エアーブロー手段により空気を吹き付けたりすることにより、洗浄対象物を洗浄または乾燥することができるとともに、載置マット板に中央架橋部を挟んで一対の窓部を有し、押圧マット板が載置マット板の中央架橋部と対応するように形成されているので、先端部等の繊細な部分が載置マット板の一対の窓部に対応するように洗浄対象物を載置マット板の中央架橋部に載置することにより、洗浄対象物の先端部等の繊細な部分を重点的にスチーム洗浄および／またはエアーブロー乾燥することができるという効果がある。
【００１７】
請求項３記載のスチーム器具洗浄装置によれば、洗浄トレイを連続回転させながらスチーム噴射手段および／またはエアーブロー手段によるスチーム洗浄および／またはエアーブロー乾燥を実行する連続回転パターンと、洗浄トレイを間欠回転させながらスチーム噴射手段および／またはエアーブロー手段によるスチーム洗浄および／またはエアーブロー乾燥を実行する間欠回転パターンとのいずれかを選択する洗浄パターン選択手段を備えるので、洗浄対象物の種類、汚れ具合等に応じて洗浄パターンを選択して、洗浄対象物をより適した洗浄パターンで洗浄できるという効果がある。
【００１８】
請求項４記載のスチーム器具洗浄装置によれば、スチーム噴射手段を単独で動作させる洗浄方法、エアーブロー手段を単独で動作させる洗浄方法、またはスチーム噴射手段およびエアーブロー手段をともに動作させる洗浄方法のいずれかを選択して動作させる洗浄方法選択手段を備えるので、洗浄対象物によってはスチーム洗浄またはエアーブロー乾燥だけ、或いはスチーム洗浄およびエアーブロー乾燥の両方を選択的に実行することができ、洗浄対象物をより適した洗浄方法で洗浄することができ、無駄なコストおよび作業時間を削減することができるという効果がある。
【００１９】
請求項５記載のスチーム器具洗浄装置によれば、洗浄パターン選択手段により選択された洗浄パターンおよび洗浄方法選択手段により選択された洗浄方法で洗浄する洗浄回数を選択する洗浄回数選択手段を備えるので、洗浄対象物の種類、汚れ具合等に応じて洗浄回数を選択して、洗浄対象物をより適切に洗浄することができるという効果がある。
【図面の簡単な説明】
【００２０】
【図１】本発明の実施例１に係るスチーム器具洗浄装置の断面図であって、（Ａ）はスチーム噴射・エアーブロー複合部全体を示すと共に、洗浄トレイの水平状態を示し、（Ｂ）は洗浄トレイの垂直状態を示す。
【図２】実施例１に係るスチーム器具洗浄装置におけるスチーム洗浄中およびエアーブロー乾燥中を示す要部側面図である。
【図３】実施例１に係るスチーム器具洗浄装置における要部の動作状態を示す斜視図であって、（Ａ）はスチーム洗浄中を示し、（Ｂ）はエアーブロー乾燥中を示す。
【図４】実施例１に係るスチーム器具洗浄装置における洗浄トレイの構成を示す分解斜視図である。
【図５】実施例１に係るスチーム器具洗浄装置を示す外観斜視図である。
【図６】実施例１に係るスチーム器具洗浄装置における操作盤を示す正面図である。
【図７】実施例１に係るスチーム器具洗浄装置の動作を示すフローチャートである。
【図８】本発明の実施例２に係るスチーム器具洗浄装置における洗浄トレイの構成を示す分解斜視図、および同洗浄トレイに使用するロック部材の動作状態を示す図である。
【図９】スチーム器具洗浄装置における洗浄トレイの変形例を示す外観斜視図である。
【発明を実施するための形態】
【００２１】
以下、本発明を図示の実施例に基づいて説明する。
【実施例１】
【００２２】
本発明の実施例１に係るスチーム器具洗浄装置におけるスチーム噴射・エアーブロー複合部ＳＫは、図１（Ａ），（Ｂ）に示すように、トレイ回転部１０と、洗浄トレイ２０と、スチ−ム供給部３０と、エアーブロー部４０と、排水タンク５０とを備えて構成されている。
【００２３】
トレイ回転部１０は、洗浄室１１、回転駆動部１３、スチーム噴射ノズル駆動部１４などを備えている。洗浄室１１の左右底面部には、次に説明する洗浄トレイ２０の中心支軸２３ａ，２３ｂをそれぞれ回転支持する支持部材１１ａ，１１ｂ（図２参照）が立設されている。
【００２４】
洗浄室１１の右側面に、洗浄トレイ２０の中心支軸２３ａに連結される防水タイプの軸受１２ａが設けられている。軸受１２ａには、モーター等からなる回転駆動部１３の回転軸１３ａが挿通され、回転軸１３ａの先端部は中心支軸２３ａの先端部に対し不図示の連結手段により連結されている。
【００２５】
スチーム供給部３０は、水槽（図示省略）を有し、該水槽は水道水が水量残高に応じて自動供給されるようになっており、その水道水を高温（８０〜１００°Ｃ程度）に加熱する加熱装置（図示省略）を備えている。
【００２６】
スチーム供給部３０には、伸縮自在な２本のホース３１ａ，３１ｂの一端がそれぞれ取り付けられ、ホース３１ａ，３１ｂの他端にはスチーム噴射ノズル３２ａ，３２ｂがそれぞれ取り付けられている（図２参照）。スチーム噴射ノズル３２ａ，３２ｂは、スチーム噴射ノズル駆動部１４によってノズル移動レール３３ａ，３３ｂに沿って左右方向にそれぞれ移動可能になっている（図３（Ａ）参照）。
【００２７】
そして、洗浄対象物として眼科用器具等の医療器具ＭＴが収納された洗浄トレイ２０は、回転駆動部１３により回転され、この回転に同調してスチーム噴射ノズル駆動部１４により左右方向に移動されるスチーム噴射ノズル３２ａ，３２ｂから噴射されるスチームが医療器具ＭＴを洗浄する。
【００２８】
エアーブロー部４０には、配管４１の一端が取り付けられ、配管４１の他端はスチーム噴射ノズル３２ａ，３２ｂが移動する左右方向に沿って配置された横長の吹出口４２の中央部に取り付けられている。
【００２９】
そして、図３（Ｂ）に示すように、エアーブロー部４０は、スチーム洗浄が終了した洗浄トレイ２０の回転に同調して吹出口４２から強力なエアーブローを洗浄トレイ２０に吹き付けて医療器具ＭＴを乾燥させる。
【００３０】
洗浄室１１の底部には、排水口１１ｃが形成され、排水口１１ｃからスチーム洗浄後の汚れた水などが排水タンク５０に排水される。
【００３１】
次に、図４を参照しつつ、洗浄トレイ２０をより詳細に説明する。
【００３２】
図４に示すように、洗浄トレイ２０は、メス、鉗子、ピンセット、ハサミ等の医療器具ＭＴを載置する載置マット板２１と、載置マット板２１に医療器具ＭＴを載置した状態で上方から押圧し、医療器具ＭＴが動かないように挟持する押圧マット板２２と、載置マット板２１および押圧マット板２２を収納するトレイケース２３とを備えて構成されている。
【００３３】
載置マット板２１は、耐熱性フッ素樹脂やパーフロロエラストマー等の高耐熱性（２００°Ｃ以上）の合成樹脂で形成された弾性突起群分散配置マット２１ａと、弾性突起群分散配置マット２１ａを裏面から支持して載置マット板２１の剛性を確保するステンレス板２１ｂとが貼り合わせられて構成されている。前記パーフロロエラストマーは、分子的にフッ素樹脂に近く、優れた耐薬品性および耐熱性を有し、かつゴムの弾性も備えている合成樹脂である。
【００３４】
弾性突起群分散配置マット２１ａは、長方形をした枠状部２１ａ1と、中央部に長手方向に形成された架橋部２１ａ2とを備えている。枠状部２１ａ1および架橋部２１ａ2の表面には、耐熱性弾性突起群がブラシ状に一面に分散配置されている。弾性突起の高さは医療器具ＭＴの幅程度、弾性突起の間隔は医療器具ＭＴの厚み程度に選定されている。そして、メス、鉗子、ピンセット、ハサミ等の医療器具ＭＴは、その中心部を架橋部２１ａ1の耐熱性弾性突起群に埋没するように弾性突起群分散配置マット２１ａに載置され、より念入りなスチーム洗浄を必要とする先端部が窓部２１ａａに露呈するように配置される。このように医療器具ＭＴを載置することにより、先端部等の繊細な部分が他の医療器具ＭＴと接触することを防ぐことができる。
【００３５】
ステンレス板２１ｂは、弾性突起群分散配置マット２１ａと同一の外形形状を成していて、枠状部２１ｂ1および架橋部２１ｂ2を備えている。また、枠状部２１ｂ1の四隅には、位置決めピン２１ｂ3がそれぞれ立設されている。そして、弾性突起群分散配置マット２１ａにおける、この位置決めピン２１ｂ3に対応した四隅位置には、位置決め孔２１ａ3がそれぞれ穿設されている。
【００３６】
また、弾性突起群分散配置マット２１ａの架橋部２１ａ2の両端部には、挿通孔２１ａ4がそれぞれ穿設され、同様にステンレス板２１ｂの架橋部２１ｂ2の両端部にも挿通孔２１ｂ4がそれぞれ穿設されている。これらの挿通孔２１ａ4，２１ｂ4は、次に説明するトレイケース２３に立設されたボルト２３ｆ，２３ｇを挿通させるためのものである。
【００３７】
押圧マット板２２は、弾性突起群分散配置マット２２ａと、ステンレス板２２ｂとを貼り合わせてなり、形状および寸法は載置マット板２１の弾性突起群分散配置マット２１ａおよびステンレス板２１ｂとそれぞれ同様である。また、弾性突起群分散配置マット２２ａおよびステンレス板２２ｂの四隅には、位置決め孔２２ａ3および２２ｂ3がそれぞれ穿設されている。
【００３８】
弾性突起群分散配置マット２２ａは、長方形をした枠状部２２ａ1と、中央部に長手方向に形成された架橋部２２ａ2とを備えている。枠状部２２ａ1および架橋部２２ａ2の裏面には、耐熱性弾性突起群がブラシ状に一面に分散配置されている。弾性突起の高さは医療器具ＭＴの幅程度、弾性突起の間隔は医療器具ＭＴの厚み程度に選定されている。弾性突起群分散配置マット２２ａの材質は、載置マット板２１の弾性突起群分散配置マット２１ａと同様である。そして、このブラシ状に分散配置された耐熱性弾性突起群により、載置マット板２１の架橋部２１ａ2に載置された医療器具ＭＴを上方から動かないように挟持することができる。
【００３９】
トレイケース２３は、平たい長方形の箱状をしており、四方の側壁部２３ｄには多数の透孔２３ｅが穿設されている。また、トレイケース２３は、長方形をした枠状部２３ｃ1と、中央部に長手方向に形成された架橋部２３ｃ2とを備え、架橋部２３ｃ2の両側方には、２つの窓部２３ｃｃが穿設されている。これにより、スチーム噴射ノズル３２ａ，３２ｂから噴射されたスチームが窓部２３ｃｃや透孔２３ｅを通過して、トレイケース２３に収納された医療器具ＭＴをスチーム洗浄する。トレイケース２３の長手方向の左右側面には、前述の中心支軸２３ａ，２３ｂが固定されている（図１参照）。
【００４０】
また、架橋部２３ｃ2の両端部には、ボルト２３ｆ，２３ｇがそれぞれ立設されている。各ボルト２３ｆ，２３ｇには、挿通孔２１ｂ4，２１ａ4，２２ａ4，２２ｂ4が挿通され、蝶ナット２４ａ，２４ｂがそれぞれ螺合されることにより、医療器具ＭＴを挟持する載置マット板２１および押圧マット板２２を、トレイケース２３に対してしっかりとロックする。このロックにより、洗浄トレイ２０が回転している場合でも、医療器具ＭＴが動いたり、他の医療器具ＭＴと接触したりすることが無くなり、非常に繊細でかつ高価な医療器具ＭＴを傷付けることなく、スチーム洗浄および／またはエアーブロー乾燥することが可能となる。
【００４１】
次に、図５および図６を参照しつつ、本実施例１に係るスチーム器具洗浄装置ＳＪの外観およびスチーム器具洗浄装置ＳＪに配設された操作盤６２について説明する。
【００４２】
図５に示すように、スチーム器具洗浄装置ＳＪは、箱状の筐体６０の手前側にスチーム噴射・エアーブロー複合部ＳＫを開閉する扉６１が配置されている。また、筐体６０の上方角部には、スチーム器具洗浄装置ＳＪの動作を指示する操作盤６２が配設されている。
【００４３】
図６に示すように、操作盤６２は、各種の制御用ボタンを備えている。左端側から順に、電源ボタン６２ａ、洗浄パターンボタンＰ１，Ｐ２、洗浄方法ボタンＡ，Ｂ，Ｃ、洗浄回数ボタン６２ｂ1および洗浄回数を表示する表示部６２ｂ2、スタートボタン６２ｃ、緊急停止ボタン６２ｄである。
【００４４】
電源ボタン６２ａは、スチーム器具洗浄装置ＳＪの電源をＯＮ／ＯＦＦ制御する。
【００４５】
洗浄パターンボタンＰ１，Ｐ２には、間欠回転パターンボタンＰ１と、連続回転パターンボタンＰ２とがある。
【００４６】
間欠回転パターンボタンＰ１をＯＮにすると、洗浄トレイ２０を間欠的に回転させる間欠回転パターンＰ１で洗浄動作を制御する。詳しくは、間欠回転パターンＰ１では、洗浄トレイ２０の表面側（押圧マット板２２側）を上向き水平に停止させた状態で、先ずスチーム噴射ノズル３２ａ，３２ｂを左端から右端まで移動させながらスチームを噴射する（図１（Ａ）参照）。次いで、洗浄トレイ２０を１８０°回転させて洗浄トレイ２０の裏面側（トレイケース２３側）を上向き水平に停止させた状態で、逆にスチーム噴射ノズル３２ａ，３２ｂを右端から左端まで移動させながらスチームを噴射する。表面側および裏面側のスチーム洗浄を行うことを１行程とする。つまり、表面側および裏面側のスチーム洗浄を３回ずつ行えば、間欠回転パターンＰ１で３工程のスチーム洗浄を行ったことになる。エアーブロー乾燥する場合についても同様である。
【００４７】
また、連続回転パターンボタンＰ２をＯＮにすると、洗浄トレイ２０を連続的に回転させる連続回転パターンＰ２で洗浄動作を制御する。詳しくは、連続回転パターンＰ２では、洗浄トレイ２０をゆっくりと１回転させながら、先ずスチーム噴射ノズル３２ａ，３２ｂを左端から右端まで移動させながらスチームを噴射する。次いで、洗浄トレイ２０をゆっくりと１回転させながら、逆にスチーム噴射ノズル３２ａ，３２ｂを右端から左端まで移動させながらスチームを噴射する。この左端から右端、逆に右端から左端への往復のスチーム洗浄を行うことを１行程とする。つまり、前記往復のスチーム洗浄を３回行えば、連続回転パターンＰ２で３工程のスチーム洗浄を行ったことになる。エアーブロー乾燥する場合についても同様である。
【００４８】
洗浄方法ボタンには、洗浄方法Ａを指示するボタンＡと、洗浄方法Ｂを指示するボタンＢと、洗浄方法Ｃを指示するボタンＣとがある。
【００４９】
ボタンＡをＯＮにすると、スチーム洗浄およびエアーブロー乾燥を行う洗浄方法Ａが選択され、ボタンＢをＯＮにすると、スチーム洗浄のみを行う洗浄方法Ｂが選択され、ボタンＣをオンにすると、エアーブロー乾燥のみを行う洗浄方法Ｃが選択される。
【００５０】
洗浄回数ボタン６２ｂ1は、前述の１行程（間欠回転パターンＰ１または連続回転パターンＰ２における１行程）を単位として、１回〜５回の行程を洗浄回数として設定することができる。設定された洗浄回数は、表示部６２ｂ2に表示される。
【００５１】
洗浄パターン、洗浄方法および洗浄回数の全ての設定項目を設定後、スタートボタン６２ｃをＯＮにすると、スチーム器具洗浄装置ＳＪは洗浄動作を開始する。
【００５２】
緊急停止ボタン６２ｄをＯＮにすると、スチーム器具洗浄装置ＳＪは、洗浄動作を緊急停止する。
【００５３】
次に、このように構成された実施例１に係るスチーム器具洗浄装置ＳＪの動作について、図７のフローチャートを参照しながら説明する。
【００５４】
先ず、載置マット板２１を、挿通孔２１ｂ4および２１ａ4にボルト２３ｇおよび２３ｆをそれぞれ挿通するように、トレイケース２３の所定の収納位置にセットし、洗浄対象物である医療器具ＭＴを載置マット板２１の弾性突起群分散配置マット２１ａ上に互いに接触することがないように載置する（ステップＳ１）。この際、載置マット板２１における弾性突起群分散配置マット２１ａの架橋部２１ａ2上に医療器具ＭＴの中央部を載置し、医療器具ＭＴの刃先部等の非常に繊細な先端部を弾性突起群分散配置マット２１ａの窓部２１ａａおよびステンレス板２１ｂの窓部２１ｂｂに露呈するように配置する。このようにすれば、血液などが付着し易い医療器具ＭＴの先端部を確実にスチーム洗浄および／またはエアーブロー乾燥することができるようになる。
【００５５】
次いで、押圧マット板２２を、挿通孔２２ａ4および２２ｂ4にボルト２３ｇおよび２３ｆをそれぞれ挿通するように、かつ４つの位置決め孔２２ａ3に４本の位置決めピン２１ｂ3をそれぞれ挿通するように、トレイケース２３の所定の位置にセットする。これにより、医療器具ＭＴは、弾性突起群分散配置マット２１ａの耐熱性弾性突起群と弾性突起群分散配置マット２２ａの耐熱性弾性突起群とによって挟持される。さらに、２個の蝶ナット２４ａ，２４ｂを２個のボルト２３ｆ，２３ｇにそれぞれ螺合し、載置マット板２１および押圧マット板２２をトレイケース２３にロックする（ステップＳ２）。このように、載置マット板２１の耐熱性弾性突起群と押圧マット板２２の耐熱性弾性突起群とによって医療器具ＭＴを上下方向から挟持するようにしたので、洗浄トレイ２０が移動したり回転したりしても医療器具ＭＴが動くことがなくなり、医療器具ＭＴの落下や互いの接触を避けることができる。これにより、医療器具ＭＴの先端部等の繊細な部分の保護を高い確率で図ることができる。
【００５６】
そして、スチーム器具洗浄装置ＳＪの扉６１を開けて洗浄トレイ２０をスチーム噴射・エアーブロー複合部ＳＫにセットしてから（ステップＳ３）、スチーム器具洗浄装置ＳＪの扉６１を閉めて電源ボタン６２ａをＯＮにする（ステップＳ４）。
【００５７】
続いて、洗浄パターンボタンの間欠回転パターンボタンＰ１または連続回転パターンボタンＰ２をＯＮにすることにより、洗浄パターンとして間欠回転パターンＰ１または連続回転パターンＰ２のいずれかを選択する（ステップＳ５）。
【００５８】
次に、洗浄方法ボタンＡ，Ｂ，ＣのいずれかをＯＮにすることにより、洗浄方法Ａ，Ｂ，Ｃのいずれかを選択する（ステップＳ６）。
【００５９】
続いて、洗浄回数ボタン６２ｂ1を何回か押圧にして、洗浄回数および／またはエアーブロー回数を所望の回数に設定する（行程数の設定）（ステップＳ７）。
【００６０】
次に、スタートボタン６２ｃをＯＮにしてスチーム器具洗浄装置ＳＪの洗浄動作を開始させる（ステップＳ８）。
【００６１】
スチーム器具洗浄装置ＳＪの洗浄動作が開始されると、前述の各種の設定に応じて、間欠回転パターンＰ１または連続回転パターンＰ２のいずれかで、洗浄方法Ａ（スチーム洗浄＋エアーブロー乾燥）または洗浄方法Ｂ（スチーム洗浄）または洗浄方法Ｃ（エアーブロー乾燥）のいずれかの方法でスチーム洗浄および／またはエアーブロー乾燥が実行される（ステップＳ９）。
【００６２】
選択した洗浄パターンおよび洗浄方法でスチーム洗浄および／またはエアーブロー乾燥が終了したならば、洗浄トレイ２０をスチーム器具洗浄装置ＳＪから取り出し（ステップＳ１０）、さらに洗浄トレイ２０をそのまま滅菌トレイとしてオートクレーブ等の加熱滅菌装置にセットする（ステップＳ１１）。これにより、洗浄後の医療器具ＭＴに直接人手を触れることなく、オートクレーブ等の加熱滅菌装置により医療器具ＭＴを滅菌・消毒することができる。
【００６３】
なお、スチーム器具洗浄装置ＳＪがスチーム洗浄および／またはエアーブロー乾燥の動作を実行している際に、何らかの事情で洗浄動作を停止する必要がある場合には、緊急停止ボタン６２ｄをＯＮにすれば、直ちにスチーム器具洗浄装置ＳＪのスチーム洗浄および／またはエアーブロー乾燥の動作は停止される。
【００６４】
以上述べたように、本実施例１に係るスチーム器具洗浄装置ＳＪによれば、以下のような一連の処理を繰り返すことが可能となる。
１．洗浄トレイ２０毎に医療器具ＭＴの滅菌処理を行い、滅菌処理済みの洗浄トレイ２０に収納された医療器具ＭＴのみを手術や治療等のときに使用する。
２．手術や治療等が終わったならば、使用した医療器具ＭＴを洗浄トレイ２０の載置マット板２１上に並べて載置する。
３．次に、医療器具ＭＴを載置マット板２１上に載置したまま、押圧マット板２２で挟持して、洗浄トレイ２０をそのままスチーム器具洗浄装置ＳＪにセットして、スチーム洗浄および／またはエアーブロー乾燥を行う。
４．続いて、スチーム洗浄および／またはエアーブロー乾燥を終えた医療器具ＭＴをセットした洗浄トレイ２０をそのまま滅菌トレイとしてオートクレーブ等の加熱滅菌装置にセットする。
【００６５】
このように、実施例１に係るスチーム器具洗浄装置ＳＪによれば、医療器具ＭＴに人手で直に接触するのは、手術や治療等を終えたときに医療器具ＭＴを洗浄トレイ２０の載置マット板２１上に載置するときだけにすることができる。医療器具ＭＴには人手が触れることがないので、非常に繊細でかつ高価な洗浄対象物を変形または破損することなく、スチーム洗浄および／またはエアーブロー乾燥することができる。
【実施例２】
【００６６】
次に、実施例２に係るスチーム器具洗浄装置ＳＪを説明する。実施例２に係るスチーム器具洗浄装置ＳＪは、洗浄トレイ２０Ａのみが、実施例１に係るスチーム器具洗浄装置ＳＪと相違する。
【００６７】
図８に示すように、洗浄トレイ２０Ａは、医療器具ＭＴを載置する載置マット板２１Ａと、載置マット板２１Ａに載置された医療器具ＭＴを挟持する押圧マット板２２Ａと、載置マット板２１Ａおよび押圧マット板２２Ａを収納するトレイケース２３Ａとを備えて成る。
【００６８】
トレイケース２３Ａにおける架橋部２３ｃ2の両端部には、ピン２３Ａｈ，２３Ａｉがそれぞれ立設されている。これらピン２３Ａｈ，２３Ａｉの頭頂部には、ロック板２３Ａｈ1，２３Ａｉ2が９０°に屈曲可能にそれぞれ取り付けられ、収納された載置マット板２１Ａおよび押圧マット板２２Ａをロック状態にすることが可能である。
【００６９】
トレイケース２３Ａに関しての上記ロック機構以外の構成は、実施例１に係るスチーム器具洗浄装置ＳＪのトレイケース２３の場合と同様である。
【００７０】
載置マット板２１Ａにおける弾性突起群分散配置マット２１Ａａの架橋部２１ａ2およびステンレス板２１Ａｂの架橋部（図示省略）の両端部には、ピン２３Ａｈ，２３Ａｉおよびロック板２３Ａｈ1，２３Ａｉ1を挿通する挿通孔２１Ａｂ4，２１Ａｂ5がそれぞれ穿設されている（ステンレス板２１Ａｂの挿通孔は図示省略）。
【００７１】
載置マット板２１Ａに関しての上記挿通孔以外の構成は、実施例１に係るスチーム器具洗浄装置ＳＪの載置マット板２１と同様である。
【００７２】
押圧マット板２２Ａは、長手方向の長さが載置マット板２１Ａに同じであり、幅が載置マット板の架橋部２１ａ2よりやや幅広である。そして、押圧マット板２２Ａにおける弾性突起群分散配置マット２２Ａａとステンレス板２２Ａｂとは貼り合わされ、弾性突起群分散配置マット２２Ａａからは下方に向けて耐熱性弾性突起群がブラシ状に一面に分散配置されている。この弾性突起群分散配置マット２２Ａａの材質は、実施例１に係るスチーム器具洗浄装置ＳＪにおける弾性突起群分散配置マット２２ａの場合と同様である。
【００７３】
また、押圧マット板２２Ａの両端側には、前記ピン２３Ａｈ，２３Ａｉおよびロック板２３Ａｈ1，２３Ａｉ1を挿通する挿通孔２２Ａａ1，２２Ａａ2がそれぞれ穿設されている。
【００７４】
このように構成された実施例２に係るスチーム器具洗浄装置ＳＪにおいて、洗浄トレイ２０Ａを使用する場合には、先ずトレイケース２３Ａに載置マット板２１Ａを取り付け、洗浄対象物である医療器具ＭＴを架橋部２１ａ2上に互いに離間するように載置する。載置の際、汚れの激しい先端部等を窓部２１Ａａａに露呈するように配置する。
【００７５】
洗浄対象物である医療器具ＭＴを全て載置マット板２１Ａの架橋部２１ａ2上に載置した後、押圧マット板２２Ａをトレイケース２３Ａに取り付け、さらに２個のロック板２３Ａｈ1，２３Ａｉ1をそれぞれ内側に９０°折り曲げてロックする。このロックにより、載置マット板２１Ａおよび押圧マット板２２Ａがトレイケース２３Ａにしっかりと固定され、スチーム器具洗浄装置ＳＪでスチーム洗浄および／またはエアーブロー乾燥中に洗浄トレイ２０Ａが回転しても、医療器具ＭＴが動くことがなくなり、非常に繊細でかつ高価な医療器具ＭＴを傷つけたり、破損したりすることを防止することができる。
【００７６】
＜変形例＞
次に、洗浄トレイ２０の変形例を説明する。
【００７７】
図９に示すように、変形例の洗浄トレイ２０Ｂは、トレイケース２３Ｂおよび載置マット板２１Ｂが、前記実施例２に係るスチーム器具洗浄装置ＳＪのトレイケース２３Ａおよび載置マット板２１Ａとそれぞれ同様である。押圧マット板２２Ｂの中央部には、スチ−ム噴射を受ける小さな窓部２２Ｂ1が穿設されている。押圧マット板２２Ｂの下面には、下方に向けて耐熱性弾性突起群がブラシ状に一面に分散されて配置されている（図示省略）。この弾性突起群分散配置マットの材質は、実施例１に係るスチーム器具洗浄装置における弾性突起群分散配置マット２２ａの場合と同様である。
【００７８】
窓部２２Ｂ1の上方には、スチーム噴射ノズル３２ａ，３２ｂが、窓部２２Ｂ1の対角線にある両角部にスチームを噴射するように配置されている。
【００７９】
この洗浄トレイ２０Ｂを使用する場合には、載置マット板２１Ｂの上で窓部２２Ｂ1の大きさに相当する箇所に医療器具ＭＴ（図示省略）を載置する。そして、洗浄トレイ２０Ｂをスチーム器具洗浄装置ＳＪのスチーム噴射・エアーブロー複合部ＳＫ（図１（Ａ），（Ｂ）参照）にセットして、スチーム洗浄および／またはエアーブロー乾燥を行う。ただし、スチーム洗浄の際は、スチーム噴射ノズル３２ａ，３２ｂをスチーム噴射・エアーブロー複合部ＳＫの洗浄室１１の中央に停止したまま洗浄を行う。エアーブロー乾燥は、実施例１に係るスチーム器具洗浄装置ＳＪの場合と同様である。
【００８０】
本変形例の洗浄トレイ２０Ｂは、少ない数の医療器具ＭＴをスチーム洗浄および／またはエアーブロー乾燥する場合に好適である。
【産業上の利用可能性】
【００８１】
本発明は、洗浄対象物として眼科用器具等の医療器具ＭＴばかりでなく、生物器具、薬学器具、半導体器具等に一般的に広く利用することができる。
【符号の説明】
【００８２】
ＳＪ  スチーム器具洗浄装置
ＳＫ  スチーム噴射・エアーブロー複合部
ＭＴ  医療器具（洗浄対象物）
１０  トレイ回転部
１１  洗浄室
１３  回転駆動部
１４  スチーム噴射ノズル駆動部
２０  洗浄トレイ
２１  載置マット板
２１ａ  弾性突起群分散配置マット
２１ａ2  弾性突起群分散配置マットの架橋部
２１ｂ  ステンレス板
２１ｂ2  ステンレス板の架橋部
２２  押圧マット板
２２ａ  弾性突起群分散配置マット
２２ａ2  弾性突起群分散配置マットの架橋部
２２ｂ  ステンレス板
２２ｂ2  ステンレス板の架橋部
３０  スチーム供給部
３２ａ，３２ｂ  スチーム噴射ノズル
４０  エアーブロー部
４２  吹出口
５０  排水タンク
【図１】
0005818496.tif 000002
【図２】
0005818496.tif 000003
【図３】
0005818496.tif 000004
【図４】
0005818496.tif 000005
【図５】
0005818496.tif 000006
【図６】
0005818496.tif 000007
【図７】
0005818496.tif 000008
【図８】
0005818496.tif 000009
【図９】
0005818496.tif 000010